(57)【特許請求の範囲】
【請求項１】
マルチシートに開けられた孔を底面で閉塞する上面開口状の容器形の本体部と、この本体部をマルチシートを介して畝床に止めるための杭状部材とで形成され、上記の本体部の底面のほぼ中心に苗を通すための孔が開けられ、この孔の位置で本体部が二つ割り状に形成され、またマルチシートを介して畝床に押し込まれる押し込み部が、上記の底面の下側に、上記の孔を中心にしてこの孔の周りに高台状に形成されていることを特徴とするマルチ栽培用の補助器具。
【請求項２】
請求項１記載のマルチ栽培用の補助器具であって、本体部の底面の孔が円形に形成され、この孔の直径線上において本体部が分割され、各分割片の接合側の両端部に、上下に重ね合わされる連結箇所が本体部の外側に突き出されて形成され、この連結箇所に杭状部材が上から差し通されて各分割片が連結され、畝床に本体部が止め付け可能に形成されていることを特徴とするマルチ栽培用の補助器具。
【請求項３】
請求項１又は２記載のマルチ栽培用の補助器具であって、本体部の外周壁が底面の下側に延ばされて押し込み部の外周壁に形作られ、本体部と押し込み部の径が同一に形成されていることを特徴とするマルチ栽培用の補助器具。
【発明の詳細な説明】
【技術分野】
【０００１】
本発明は、マルチ栽培用の補助器具に関し、更に詳しくはマルチシートを使用して野菜や果樹等を栽培（マルチ栽培）する際に、マルチシートに開けられた苗の植え付けや種蒔き用の孔を閉塞するのに使用するマルチ栽培用の補助器具に関するものである。
【背景技術】
【０００２】
従来、マルチ栽培時に野菜などの根元を覆う器具としては、例えば特許文献１に記載されているものがある。
この従来品は、板状の被覆部材に、茎を通すための貫通孔が開けられ、この貫通孔に茎を導くための切り込みが周辺から貫通孔に渡って形成されている。
【０００３】
ところで、越冬させる野菜類としては、例えばソラマメ、タマネギ、エンドウ、ブロッコリー等がある。この種の作物を栽培する上で、気温がマイナスになる地域では、保温効果のあるマルチシートを使用して根の発育を促進させることが多い。
【０００４】
而して、この種の栽培法は、風が吹くと、マルチシートの苗の植え付けや種蒔き用の孔からマルチシート内に寒風が入り込み、マルチシートを押し上げて土壌の熱を奪うため、風に弱い、という問題点がある。
そのため従来は、この種の対策として、マルチシートの上に鉄パイプや角材等を載せ、この種の重しでマルチシートを押さえて寒風が入り込むのを防止することが多かった。
しかしながら、この種の手法は、マルチシートの孔を、直接、閉塞するものではなかったから、孔から入り込む寒風による土壌の温度低下を防止するには不充分であった。
【０００５】
また、この種の栽培法において、苗の移植時や芽の出る時期に給水する場合は、マルチシートの孔と、苗との間の狭い隙間から行なうのが通例である。
そのため、従来は、この種の水遣り作業が不便で行ないにくく、畝床に水がしみ込みにくかった。また降雨があっても雨水が、マルチシートの表面を伝わって流れ落ちてしまい、雨水を苗の給水に、有効に利用することができなかった。
その結果、従来は、苗が根付くまで、度々給水しなければならず、水遣り作業に手間暇がかかるのを避けられなかった。
【０００６】
而して、特許文献１に記載の従来品は、上記の通り、苗の根元を覆う機能を持つだけであり、このようなマルチ栽培における問題点を解消できるものではなかった。
【先行技術文献】
【特許文献】
【０００７】
【特許文献１】特開２００３−３２５０４１号公報
【発明の概要】
【発明が解決しようとする課題】
【０００８】
本発明は、このような従来技術の問題点に鑑み、提案されたものである。
従って本発明の解決しようとする技術的課題は、マルチシートに開けられた孔から風が入り込んで畝床の温度が低下するのを防止でき、給水が容易で、しかも雨水等を捕集して給水に利用でき、またマルチシートの孔を押し拡げて畝床に水を浸透し易くでき、更にはマルチシートを押さえることにも役立つよう形成したマルチ栽培用の補助器具を提供することにある。
【課題を解決するための手段】
【０００９】
本発明は、上記の課題を解決するため、次のような技術的手段を採る。
即ち本発明は、図１等に示されるように、マルチシート１に開けられた孔１ａを底面２ａで閉塞する上面開口状の容器形の本体部２と、この本体部２をマルチシート１を介して畝床３に止めるための杭状部材４とで形成され、上記の本体部２の底面２ａのほぼ中心に苗５を通すための孔２ｂが開けられ、この孔２ｂの位置で本体部２が二つ割り状に形成され、またマルチシート１を介して畝床３に押し込まれる押し込み部６が、上記の底面２ａの下側に、上記の孔２ｂを中心にしてこの孔２ｂの周りに高台状に形成されていることを特徴とする（請求項１）。
【００１０】
本発明の場合、本体部２は、通常、浅底の皿状や椀状等の容器形に形成されるが、その深さや形状、形成材料は自由である。また杭状部材４は、本体部２を固定できる形状、構造であれば良く、通常、例えば平頭くぎ形状（図１参照）、折れくぎ形状（図８参照）、鉤くぎ形状等に形成される。但し、本発明の場合、この杭状部材４の形状や長さ、太さ、形成材料等は、自由である。また本体部２の底面２ａの孔２ｂは、円形でも方形でも良い。この孔２ｂの位置は、苗５の根元を二つ割り状の分割片２ｃ（図３等参照）で挟んでセットし易くなるよう、通常、底面２ａの真中が好ましいが、セットに支障が出ない範囲であれば多少中心からずれているのでも良い。
【００１１】
またここで、高台状とは、茶碗等の脚部のように、押し込み部６が本体部２の下面から下方に突き出されている、ということを意味する。この押し込み部６は、通常、マルチシート１を破くことなく押し込むことができるよう、連続した円環形等の形状に形成されているのが好ましいが、本発明はこれに限定されるものではなく、断続的に形成されたり、多角形状に形成されているのでも良い。
【００１２】
また押し込み部６は、通常、突き出し長さ（高さ）が長く（高く）、厚みが厚いほど、押し込み時にマルチシート１を畝床３に押し込み、マルチシート１に開けられた孔１ａ（円形や十字形等）を外方に引っ張って拡げることができるが、この押し込み部６の突き出し長さや径は、孔１ａの大きさや形状等に鑑み、適宜選定されるので良い。
【００１３】
而して、本発明は、図２、図３等に示されるように、本体部２の底面２ａの孔２ｂが円形に形成され、この孔２ｂの直径線上において本体部２が分割され、各分割片２ｃの接合側の両端部に、上下に重ね合わされる連結箇所２ｅが本体部２の外側に突き出されて形成され、この連結箇所２ｅに杭状部材４が上から差し通されて各分割片２ｃが連結され、畝床３に本体部２が止め付け可能に形成されているのが好ましい（請求項２）。
なぜならこれによると、各分割片２ｃに半円状の切り欠き２ｄが同じ状態に形成されるため、苗５の根元に両側からセットし易くなり、使い勝手が良くなるからである。
【００１４】
また本発明は、図３、図４等に示されるように、本体部２の外周壁が底面２ａの下側に延ばされて押し込み部６の外周壁に形作られ、本体部２と押し込み部６の径が同一に形成されているのが好ましい（請求項３）。
なぜならこれによると、本体部２と押し込み部６の径が同一の筒状に形成されるため、マルチシート１の孔１ａに被せて孔１ａを閉塞するとき、押し込み部６の押し込み位置を決定し易くなるからである。またこれによると、本発明品の構造を単純化でき、製造を容易化できるからである。
【発明の効果】
【００１５】
本発明は、このように押し込み部をマルチシートに押し込んで、本体部の底面でマルチシートに開けられた孔を閉塞し、杭状部材で本体部を畝床に固定するものである。
従って本発明品を使用すれば、マルチシートの孔から風が入り込んで畝床の温度が低下するのを防止できる。
【００１６】
また本発明は、本体部が容器形に形成されているから、本体部に水を入れることで徐々に孔から土壌に給水でき、また雨水等を本体部で捕集して給水に利用できる。
従ってこれによれば、マルチシートを剥がしたりすることなく、マルチシートで覆われた畝床に、雨水等を利用して簡単、容易に給水でき、その結果、水遣り作業の回数を減らすことができる。
【００１７】
また本発明は、本体部を畝床に押し込むと、押し込み部がマルチシートを畝床に引き込み、マルチシートの孔を外側に引っ張って押し拡げる。
従って、本発明によれば、本体部の底面の孔から流れる水が畝床にしみ込み易くなる、という利点がある。
【００１８】
またこの場合、本発明では、押し込み部が水止めの矢板として働く。
従って、本発明によれば、本体部の底面の孔から畝床に流れ込む水が押し込み部の外側に漏れ出すことを防止でき、畝床に水を確実に導くことができる。
【００１９】
また本発明は、押し込み部をマルチシートに押し込んで本体部を杭状部材で畝床に固定できる。
従って、本発明によれば、マルチシートを畝床に固定することにも役立つ、という利点がある。
【図面の簡単な説明】
【００２０】
【図１】本発明補助器具の使用状態時の好適な一実施形態を示し、苗を省略した図２のＩ−Ｉ線における要部縦断面図である。
【図２】同上補助器具の使用状態時の平面図である。
【図３】同上補助器具の斜視図である。
【図４】同上補助器具の下方から見た斜視図である。
【図５】同上補助器具の分解時の斜視図である。
【図６】同上補助器具の本体部の平面図である。
【図７】図６のVＩＩ−VＩＩ線における断面図である。
【図８】同上補助器具の他の実施形態を示す使用状態時の要部縦断面図である。
【発明を実施するための形態】
【００２１】
以下、本発明の好適な一実施形態を、添付図面に従って説明する。
本発明は、図１等に示されるように、マルチシート１に開けられた孔１ａを底面２ａで閉塞する上面開口状の容器形の本体部２と、この本体部２をマルチシート１を介して畝床３に止めるための杭状部材４とで形成されている。この実施形態の場合、孔１ａは、図２に示されるように、十字形に形成されている。
【００２２】
上記の本体部２は、この実施形態では底の浅い円形の皿状に形成されている。また本体部２は、底面２ａのほぼ中心に苗５を通すための孔２ｂが開けられ、この孔２ｂの位置で二つ割り状に形成されている。孔２ｂは、この実施形態では円形に形成され、この孔２ｂの直径線上において本体部２が二分割可能に形成されている。従って、図３に示されるように、各分割片２ｃの切り欠き２ｄは、半円形に形成されている。
【００２３】
また本発明品は、マルチシート１を介して畝床３に押し込まれる押し込み部６が、本体部２の底面２ａの下側に、底面２ａの孔２ｂを中心にしてこの孔２ｂの周りに高台状に形成されている。押し込み部６は、この実施形態では円環形の枠状に形成され、この押し込み部６の外周壁は、本体部２の外周壁が底面２ａの下側に延ばされて本体部２と径が同一に形作られている。
【００２４】
また本体部２の各分割片２ｃは、接合側の両端部に、上下に重ね合わされる連結箇所２ｅが本体部２の外側に突き出されて形成されている。連結箇所２ｅは、この実施形態では、図５に示されるように、一方の分割片２ｃは両側とも外周壁の上側に、他方の分割片２ｃは両側とも外周壁の下側に形成されている。
またこの実施形態の場合は、連結箇所２ｅに、重合時に上下方向に連通する縦孔２ｆが形成され、この縦孔２ｆに杭状部材４が上から差し通されて各分割片２ｃが連結されると共に、畝床３に本体部２が止め付け可能に形成されている。
【００２５】
杭状部材４は、この実施形態では平頭くぎ形状に形成されている。なお、本体部２、押し込み部６、杭状部材４とも、この実施形態ではプラスチックで耐食性を有するよう形成されている。
【００２６】
次に本発明の使用例及び作用を説明する。
先ず作業者は、苗５（図１参照）の根元に、各分割片２ｃ（図５等参照）の半円形の切り欠き２ｄを両側からあてがい、切り欠き２ｄが円形を形作るよう分割片２ｃを接合する。
【００２７】
次に作業者は、マルチシート１の孔１ａを覆うよう、押し込み部６を位置決めし、本体部２を押して押し込み部６を畝床３に押し込む。この実施形態の場合、押し込み部６は孔２ｂを中心にして円環状に形成されている。従って、マルチシート１の孔１ａは、押し込み部６が畝床３に押し込まれると、その長さ分（押し込み部６の高さの２倍と、押し込み部６の厚みを足した長さ分）だけ、この実施形態では３６０度にわたって均等に外側に引っ張られて押し拡げられる。
【００２８】
而して、この実施形態の場合、分割片２ｃが接合されると、図３、図４等に示されるように、各分割片２ｃの連結箇所２ｅが上下に重ね合わされる。そこで作業者は、連結箇所２ｅの縦孔２ｆに杭状部材４を上から通し、図１に示されるように、畝床３に差し込み、本体部２を畝床３に固定する。
【００２９】
また本発明の場合、本体部２は、上記の通り、容器形に形成されている。従って、本体部２内にじょうろ等で注水すると、本体部２内に水が溜まり、底面２ａの孔２ｂを介して畝床３に水が徐々にしみ込む。
また降水時は、本体部２が雨水を捕集して溜めるから、本発明品によると、本体部２に溜まった雨水を底面２ａの孔２ｂから、苗５の給水に利用できる。
【００３０】
また本発明品は、マルチシート１の孔１ａが、押し込み部６で押し拡げられ、押し込み部６が水止めの矢板として機能し、本体部２の底面２ａは、マルチシート１に密着する。
従って、本発明品によると、本体部２の底面２ａの孔２ｂからマルチシート１の孔１ａを介して畝床３に流れ込む水は、外側に流れ出すことなく、畝床３に確実にしみ込む。
なお、本発明品は、本体部２に、例えば固形肥料を入れ、雨水等で溶かして追肥するのに使用しても良い。
【００３１】
以上の処において、本発明は、図８に示されるように、杭状部材４を、例えば折れくぎ状に形成し、本体部２の外周壁の上端縁に係合させて畝床３に固定するのでも良く、上例のような構造に限定されるものではない。
また押し込み部６は、同図に示されるように、本体部２の径より短く形成されているのでも良い。
【符号の説明】
【００３２】
１      マルチシート
１ａ    孔
２      本体部
２ａ    底面
２ｂ    孔
３      畝床
４      杭状部材
５      苗
６      押し込み部
【要約】
【課題】  マルチシートに開けられた孔から風が入り込んで畝床の温度が低下するのを防止でき、給水が容易で、しかも雨水等を捕集して給水に利用でき、またマルチシートの孔を押し拡げて畝床に水を浸透し易くでき、更にはマルチシートを押さえることにも役立つマルチ栽培用の補助器具を提供する。
【解決手段】  マルチシート１に開けた孔１ａを底面２ａで閉塞する上面開口状の容器形の本体部２と、この本体部２をマルチシート１を介して畝床３に止めるための杭状部材４とで形成する。本体部２の底面２ａのほぼ中心に苗５を通すための孔２ｂを開ける。この孔２ｂの位置で本体部２を二つ割り状に形成する。またマルチシート１を介して畝床３に押し込む押し込み部６を、上記の底面２ａの下側に、上記の孔２ｂを中心にしてこの孔２ｂの周りに高台状に形成する。
【選択図】      図１【図１】
0004838909.tif 000002
【図２】
0004838909.tif 000003
【図３】
0004838909.tif 000004
【図４】
0004838909.tif 000005
【図５】
0004838909.tif 000006
【図６】
0004838909.tif 000007
【図７】
0004838909.tif 000008
【図８】
0004838909.tif 000009